(57)【要約】【課題】  ベッドパッド、敷き布団、掛け布団等の寝具において、滑り止め機能を有する寝具を提供するとともに、保温性をより向上させた寝具を提供する。【解決手段】  ベッドパッド等の寝具の裏面に、複数の開口部を有し網目状を呈する基材３２と、該基材の表面に設けられたアクリルにより形成された樹脂部材３４とを有するシート状部材３０を設ける。例えば、ベッドパッドの裏面側の側地１４に、該シート状部材３０を縫製して固定する。なお、ベッドパッドに限らず、敷き布団や掛け布団の裏面に該シート状部材３０を設けてもよい。また、敷き布団や掛け布団の内部に内部空間を区画するように該シート状部材３０を設けてもよい。【選択図】        図５
0003108588.tif 000002
【実用新案登録請求の範囲】
【請求項１】
寝具であって、
樹脂が凹凸状で網目状に設けられたシート状部材が、該寝具における一方の面に設けられていることを特徴とする寝具。
【請求項２】
上記寝具が、ベッドパッド又は敷き布団又は掛け布団であることを特徴とする請求項１に記載の寝具。
【請求項３】
寝具であって、
樹脂が凹凸状で網目状に設けられたシート状部材が、該寝具の内部に該内部の空間を区画するように設けられていることを特徴とする寝具。
【請求項４】
上記シート状部材が、寝具の内部に複数設けられていることを特徴とする請求項３に記載の寝具。
【請求項５】
上記寝具における区画された空間内にクッション性を有する中材が設けられていることを特徴とする請求項３又は４に記載の寝具。
【請求項６】
上記寝具が、敷き布団又は掛け布団であることを特徴とする請求項３又は４又は５に記載の寝具。
【請求項７】
上記シート状部材が、複数の開口部を有し網目状を呈する基材と、該基材の表面に設けられた樹脂部材とを有することを特徴とする請求項１又は２又は３又は４又は５又は６に記載の寝具。
【請求項８】
上記樹脂部材が、アクリルにより構成されていることを特徴とする請求項７に記載の寝具。
【請求項９】
ベッドパッドであって、
ベッドパッドの裏面に、樹脂が凹凸状で網目状に設けられたシート状部材で、複数の開口部を有し網目状を呈する基材と、該基材の表面に設けられ、アクリルにより形成された樹脂部材とを有するシート状部材が設けられていることを特徴とするベッドパッド。
【請求項１０】
敷き布団又は掛け布団としての布団であって、
該布団の裏面に、樹脂が凹凸状で網目状に設けられたシート状部材で、複数の開口部を有し網目状を呈する基材と、該基材の表面に設けられ、アクリルにより形成された樹脂部材とを有するシート状部材が設けられていることを特徴とする布団。
【請求項１１】
敷き布団又は掛け布団としての布団であって、
樹脂が凹凸状で網目状に設けられた複数のシート状部材で、複数の開口部を有し網目状を呈する基材と、該基材の表面に設けられ、アクリルにより形成された樹脂部材とを有するシート状部材が、該布団の内部に該内部の空間を区画するように設けられていることを特徴とする布団。
【考案の詳細な説明】
【技術分野】
【０００１】
本考案は、寝具に関するものであり、特に、ベッドの上面に敷設されるベッドパッドや、敷き布団や掛け布団等の布団に関するものである。
【背景技術】
【０００２】
従来より、寝具として、ベッドの上面に敷設されるベッドパッドや敷き布団、掛け布団等の布団が存在する。
【考案の開示】
【考案が解決しようとする課題】
【０００３】
しかし、従来の寝具においては、寝具が本来の位置からずり落ちてしまうという問題があった。例えば、ベッドパッドにおいて、ベッドの上面に敷設されたベッドパッドがベッドの上面からずり落ちて落下したり、掛け布団が寝ている者からずり落ちてしまうという問題があった。
【０００４】
また、従来のベッドパッド、布団等の寝具に対して、より保温性を向上させることができるものが要望されていた。
【０００５】
そこで、本考案は、滑り止め機能を有する寝具を提供するとともに、保温性をより向上させた寝具を提供することを目的とするものである。
【課題を解決するための手段】
【０００６】
本考案は上記問題点を解決するために創作されたものであって、第１には、寝具であって、樹脂が凹凸状で網目状に設けられたシート状部材が、該寝具における一方の面に設けられていることを特徴とする。
【０００７】
この第１の構成の寝具においては、上記構成のシート状部材が寝具の一方の面に設けられているので、このシート状部材が滑り止めとなり、寝具をベッドパッドや掛け布団や敷き布団に使用した場合に本来の位置からずれてしまうのを防止することができる。また、ベッドパッドの裏面や敷き布団の裏面にシート状部材を設ける場合には、シート状部材が網目状になっていてこの網目の開口部に空気層が形成されるので、保温性を向上させることが可能となる。
【０００８】
また、第２には、上記第１の構成において、上記寝具が、ベッドパッド又は敷き布団又は掛け布団であることを特徴とする。
【０００９】
また、第３には、寝具であって、樹脂が凹凸状で網目状に設けられたシート状部材が、該寝具の内部に該内部の空間を区画するように設けられていることを特徴とする。
【００１０】
この第３の構成の寝具においては、上記構成のシート状部材が寝具の内部に内部の空間を区画するように設けられているので、シート状部材により挟まれた空間内に設けられた中材に対して保温性を向上させることが可能となる。
【００１１】
また、第４には、上記第３の構成において、上記シート状部材が、寝具の内部に複数設けられていることを特徴とする。これにより、複数のシート状部材の間の空間がシート状部材により挟まれているので、該空間の保温性を向上させることができる。
【００１２】
また、第５には、上記第３又は第４の構成において、上記寝具における区画された空間内にクッション性を有する中材が設けられていることを特徴とする。
【００１３】
また、第６には、上記第３から第５までのいずれかの構成において、上記寝具が、敷き布団又は掛け布団であることを特徴とする。
【００１４】
また、第７には、上記第１から第６までのいずれかの構成において、上記シート状部材が、複数の開口部を有し網目状を呈する基材と、該基材の表面に設けられた樹脂部材とを有することを特徴とする。よって、シート状部材が上記のように構成されているので、滑り止め効果や保温効果をより向上させることができる。
【００１５】
また、第８には、上記第７の構成において、上記樹脂部材が、アクリルにより構成されていることを特徴とする。これにより、シート状部材の滑り止め効果をより向上させることができる。
【００１６】
また、第９には、ベッドパッドであって、ベッドパッドの裏面に、樹脂が凹凸状で網目状に設けられたシート状部材で、複数の開口部を有し網目状を呈する基材と、該基材の表面に設けられ、アクリルにより形成された樹脂部材とを有するシート状部材が設けられていることを特徴とする。
【００１７】
この第９の構成のベッドパッドにおいては、上記構成のシート状部材がベッドパッドの裏面に設けられているので、このシート状部材が滑り止めとなり、ベッドの上に敷設した場合に本来の位置からずれてしまうのを防止することができる。また、シート状部材が網目状になっていてこの網目の開口部に空気層が形成されるので、保温性を向上させることが可能となる。
【００１８】
また、第１０には、敷き布団又は掛け布団としての布団であって、該布団の裏面に、樹脂が凹凸状で網目状に設けられたシート状部材で、複数の開口部を有し網目状を呈する基材と、該基材の表面に設けられ、アクリルにより形成された樹脂部材とを有するシート状部材が設けられていることを特徴とする。
【００１９】
この第１０の構成の布団においては、上記構成のシート状部材が布団の裏面に設けられているので、このシート状部材が滑り止めとなり、布団が本来の位置からずれてしまうのを防止することができる。また、シート状部材が網目状になっていてこの網目の開口部に空気層が形成されるので、保温性を向上させることが可能となる。
【００２０】
また、第１１には、敷き布団又は掛け布団としての布団であって、樹脂が凹凸状で網目状に設けられた複数のシート状部材で、複数の開口部を有し網目状を呈する基材と、該基材の表面に設けられ、アクリルにより形成された樹脂部材とを有するシート状部材が、該布団の内部に該内部の空間を区画するように設けられていることを特徴とする。
【００２１】
この第１１の構成の布団においては、上記構成のシート状部材が布団の内部に内部の空間を区画するように設けられているので、シート状部材により挟まれた空間内に設けられた中材に対して保温性を向上させることが可能となる。
【考案の効果】
【００２２】
本考案に基づく寝具やベッドパッドや布団によれば、上記シート状部材が設けられているので、これにより、滑り止め効果を得ることができ、さらに、保温効果も得ることができる。
【考案を実施するための最良の形態】
【００２３】
本考案においては、滑り止め機能を有する寝具を提供するとともに、保温性をより向上させた寝具を提供するという目的を以下のようにして実現した。
【実施例１】
【００２４】
本考案の寝具としてのベッドパッドＡは、図１〜図５に示すように構成され、ベッドパッド本体１０と、シート状部材３０とを有している。
【００２５】
ここで、ベッドパッド本体１０は、側地１２と、側地１４と、ヘム１６と、中材２０等を有している。側地１２は、ベッドパッド本体１０の表側の側地であり、ベッドパッド本体１０の表側の外表面を構成している。また、側地１４は、ベッドパッド本体１０の裏側の側地であり、ベッドパッド本体１０の裏側の外表面を構成している。側地１２と側地１４は、ともに、所定の部材（例えば、布部材）により構成されている。
【００２６】
また、ヘム１６は、側地１２と側地１４の端部を包んだ状態とするための部材で、帯状の布地を断面略Ｕ字状にして側地１２と側地１４の端部を包んで縫製糸１８により縫着することにより形成されている。
【００２７】
また、中材２０は、クッション性を有する部材であり、側地１２と側地１４とにより形成されている空間内に設けられている。この中材２０と側地１２、１４は、キルティング糸２２により一体に縫着されている。
【００２８】
また、シート状部材３０は、ベッドパッドＡの裏面側の表面、すなわち、側地１４の裏面に設けられ、滑り止めと保温性の向上のために設けられた部材である。
【００２９】
このシート状部材３０は、網目状に構成され、表面に樹脂が設けられた部材であり、具体的には、網目状の基材３２と、該基材３２の表面に設けられた樹脂部材（樹脂）３４とを有している。この網目状の基材３２は、ポリエステルにより構成された網目状部材である。また、樹脂部材３４は、基材３２の表面に不規則に凹凸状に形成されており、具体的には、アクリルにより形成されている。このシート状部材３０は、該基材３２を液状のアクリルに所定時間含浸させて引き上げた後に、基材３２の表面に付着したアクリルを乾燥させることにより固化させて形成したものであり、これにより、基材３２の表面にアクリルがコーティングされるとともに、アクリルが不規則に凹凸状に形成された状態となる（図３、図５参照）。
【００３０】
上記構成のシート状部材３０は、ベッドパッド本体１０の裏面に縫製糸４０により縫着されている。つまり、シート状部材３０を側地１４に縫製糸４０により縫着することによりベッドパッド本体１０に固定されている。
【００３１】
上記構成のベッドパッドＡの使用状態について説明する。ベッドパッドＡは、通常のベッドパッドと同様に使用するが、シート状部材３０が設けられている側を下側、つまり、ベッド側にしてベッドの上面に敷設する。具体的には、ベッドのマットレスの上面にこのベッドパッドＡを敷設し、さらに、ベッドカバーを取り付けて使用する。すると、ベッドパッド本体１０とベッドのマットレスとの間にシート状部材３０が存在することになるので、ベッドパッドＡがベッドのマットレスの上面の設置位置からずれるのを防止することができる。つまり、シート状部材３０の表面はアクリルで構成され、凹凸に形成されているので、シート状部材３０とベッドのマットレスとの間にアクリルという素材による摩擦力と凹凸による摩擦力が形成され、ベッドパッドＡがベッドのマットレスの所定位置からずれるのを防止することが可能となる。また、シート状部材３０は、網目状に形成されているので、網目状の開口部の位置に空気層が形成され、これにより、保温性を向上させることができる。つまり、ベッドパッドＡをベッドのマットレスＰの上に敷設した場合には、シート状部材３０の開口部Ｋの部分に空気層Ｊが形成されるので、この空気層Ｊにより保温性を向上させることが可能となる。また、シート状部材３０においては、樹脂としてアクリルが用いられているので、劣化しにくく、シート状部材３０の耐久性を向上させることができる。
【００３２】
なお、上記構成のベッドパッドＡにおいては、シート状部材３０を側地１４の裏面に縫製により固定するものとして説明したが、これには限られず、図６に示すように、ヘム１８により、側地１２、１４とともに縫着して固定するようにしてもよい。つまり、図６に示すベッドパッドＡ’においては、側地１２の端部と側地１４の端部とシート状部材３０の端部とをヘム１６により包んだ状態として縫製糸１８により縫製することにより、シート状部材３０がベッドパッド本体１０に固定されている。なお、この図６に示す場合においては、シート状部材３０は、ベッドパッドＡ’のすべての辺（すなわち、４辺）において、ヘム１６により側地１２、１４とともに縫着して固定されている。よって、図６においては、断面における一方の状態（つまり、右側の要部の断面の状態）のみを表示しているが、他方の状態も同様に形成されている。
【実施例２】
【００３３】
次に、実施例２について説明する。本考案の寝具としての敷き布団Ｂは、図７、図８に示すように構成され、敷き布団本体１１０と、シート状部材１３０とを有している。
【００３４】
ここで、敷き布団本体１１０は、側地１１２と、側地１１４と、ヘム１１６と、中材１２０等を有している。側地１１２は、敷き布団本体１１０の表側の側地であり、敷き布団本体１１０の表側の外表面を構成している。また、側地１１４は、敷き布団本体１１０の裏側の側地であり、敷き布団本体１１０の裏側の外表面を構成している。側地１１２と側地１１４は、ともに、所定の部材（例えば、布部材）により構成されている。
【００３５】
また、ヘム１１６は、側地１１２と側地１１４の端部を包んだ状態とするための部材で、帯状の布地を断面略Ｕ字状にして側地１１２と側地１１４の端部を包んで縫製糸１１８により縫着することにより形成されている。
【００３６】
また、中材１２０は、クッション性を有する部材（具体的には、綿材）であり、側地１１２と側地１１４とにより形成されている空間内に設けられている。
【００３７】
また、シート状部材１３０は、敷き布団Ｂの裏面側の表面、すなわち、側地１１４の裏面に設けられ、滑り止めと保温性の向上のために設けられた部材である。
【００３８】
このシート状部材１３０の構成は、上記シート状部材３０と同様の構成であるので詳しい説明を省略する。つまり、このシート状部材１３０は、網目状に構成され、表面に樹脂が設けられた部材であり、具体的には、網目状の基材３２と、該基材３２の表面に設けられた樹脂部材３４とを有している。
【００３９】
上記構成のシート状部材１３０は、敷き布団本体１１０の裏面に縫製糸１４０により縫着されている。つまり、シート状部材１３０を側地１１４に縫製糸１４０により縫着することにより敷き布団本体１１０に固定されている。
【００４０】
上記構成の敷き布団Ｂの使用状態について説明する。敷き布団Ｂは通常の敷き布団と同様に使用するが、シート状部材１３０が設けられている側を下側にして使用する。すると、敷き布団本体１１０とベッドとの間にシート状部材１３０が存在することになるので、敷き布団Ｂを設けた設置位置からずれるのを防止することができる。また、シート状部材１３０は、網目状に形成されているので、網目状の開口部の位置に空気層が形成され、これにより、保温性を向上させることができる。つまり、敷き布団Ｂを畳等の上に敷設した場合には、シート状部材１３０の開口部Ｋの部分に空気層Ｊが形成されるので、この空気層Ｊにより保温性を向上させることが可能となる。また、シート状部材１３０においては、樹脂としてアクリルが用いられているので、劣化しにくく、シート状部材１３０の耐久性を向上させることができる。
【００４１】
なお、上記構成の敷き布団Ｂにおいては、シート状部材１３０を側地１１４の裏面に縫製により固定するものとして説明したが、これには限られず、図９に示すように、ヘム１１６により、側地１１２、１１４とともに縫着して固定するようにしてもよい。つまり、図９に示す敷き布団Ｂ’においては、側地１１２の端部と側地１１４の端部とシート状部材１３０の端部とをヘム１１６により包んだ状態として縫製糸１１８により縫製することにより、シート状部材１３０が敷き布団本体１１０に固定されている。なお、この図９に示す場合においては、シート状部材１３０は、敷き布団Ｂ’のすべての辺（すなわち、４辺）において、ヘム１１６により側地１１２、１１４とともに縫着して固定されている。
【００４２】
なお、上記の説明においては、実施例２の寝具が敷き布団であるとして説明したが、これには限られず、掛け布団であってもよい。つまり、上記の実施例２の構成において、敷き布団本体１１０の代わりに掛け布団本体とする。この掛け布団本体の構成は、上記実施例２における敷き布団本体と略同様である。このように掛け布団とした場合には、その掛け布団を掛けて寝ている者からずり落ちることがないので、寝冷え等を防止することができる。
【実施例３】
【００４３】
次に、実施例３について説明する。本考案の寝具としての敷き布団Ｃは、図１０に示すように構成され、側地２１２と、側地２１４と、ヘム２１６と、中材２２０と、シート状部材２３０を有している。
【００４４】
側地２１２は、敷き布団Ｃの表側の側地であり、敷き布団Ｃの表側の外表面を構成している。また、側地２１４は、敷き布団Ｃの裏側の側地であり、敷き布団Ｃの裏側の外表面を構成している。側地２１２と側地２１４は、ともに、所定の部材（例えば、布部材）により構成されている。
【００４５】
また、ヘム２１６は、側地２１２の端部と側地２１４の端部とシート状部材２３０の端部を包んだ状態とするための部材で、帯状の布地を断面略Ｕ字状にして側地２１２の端部と側地２１４の端部とシート状部材２３０の端部を包んで縫製糸２１８により縫着することにより形成されている。
【００４６】
また、シート状部材２３０は、シート状部材２３０ａと、シート状部材２３０ｂとを有し、各シート状部材２３０ａとシート状部材２３０ｂは、側地２１２と側地２１４とで形成される内部空間を区画する（つまり、仕切る）ように設けられている。すなわち、シート状部材２３０ａとシート状部材２３０ｂは、それぞれその端部が側地２１２や側地２１４とともにヘム２１６に包まれた状態で縫着されていて、シート状部材２３０ａやシート状部材２３０ｂは、側地２１２、２１４と略平行に設けられている。このシート状部材２３０ａやシート状部材２３０ｂの構成は、上記シート状部材３０やシート状部材１３０と同様の構成であるので詳しい説明を省略する。つまり、このシート状部材２３０ａやシート状部材２３０ｂは、網目状に構成され、表面に樹脂が設けられた部材であり、具体的には、網目状の基材３２と、該基材３２の表面に設けられた樹脂部材３４とを有している。
【００４７】
また、中材２２０は、中材２２０ａと、中材２２０ｂと、中材２２０ｃとを有し、中材２２０ａ、２２０ｂ、２２０ｃは、側地２１２、２１４やシート状部材２３０ａ、２３０ｂにより区画された空間内に設けられている。つまり、中材２２０ａは、側地２１２とシート状部材２３０ａとにより形成されている空間内に設けられ、中材２２０ｂは、シート状部材２３０ａとシート状部材２３０ｂとにより形成されている空間内に設けられ、中材２２０ｃは、シート状部材２３０ｂと側地２１４とにより形成されている空間内に設けられている。中材２２０ａ、２２０ｂ、２２０ｃは、クッション性を有する部材（具体的には、綿材）である。
【００４８】
上記構成の敷き布団Ｃの使用状態について説明する。敷き布団Ｃは、通常の敷き布団と同様に使用する、なお、側地２１２と側地２１４のいずれの側を上側に使用してもよい。上記構成の敷き布団Ｃによれば、保温性を向上させることができる。すなわち、シート状部材２３０ａとシート状部材２３０ｂとが設けられているので、シート状部材２３０ａとシート状部材２３０ｂにより囲まれた空間内の熱が逃げにくくなり、敷き布団Ｃの保温性を向上させることができる。つまり、中材２２０ｂの熱が中材２２０ａや中材２２０ｃの側に逃げにくくすることができるので、敷き布団Ｃの保温性を向上させることができる。
【００４９】
なお、上記の説明においては、実施例３の寝具が敷き布団であるとして説明したが、これには限られず、掛け布団であってもよい。つまり、上記構成の敷き布団Ｃと同様の構成の掛け布団としてもよい。
【００５０】
また、上記の各実施例において、樹脂部材３４がアクリルにより形成されているとして説明したが、他の樹脂により形成されたものでもよい。また、上記の各実施例において、ベッドパッドや敷き布団や掛け布団を例にして説明したが、他の寝具であってもよい。
【図面の簡単な説明】
【００５１】
【図１】実施例１のベッドパッドを示す裏面側斜視図である。
【図２】実施例１のベッドパッドを示す要部断面図である。
【図３】シート状部材の構成を示す平面図である。
【図４】シート状部材に用いられる基材の構成を示す平面図である。
【図５】実施例１のベッドパッドの構成とその使用状態を示す要部断面図である。
【図６】実施例１のベッドパッドの他の例を示す要部断面図である。
【図７】実施例２の敷き布団を示す裏面側斜視図である。
【図８】実施例２の敷き布団を示す要部断面図である。
【図９】実施例２の敷き布団の他の例を示す要部断面図である。
【図１０】実施例３の敷き布団を示す要部断面図である。
【符号の説明】
【００５２】
Ａ、Ａ’  ベッドパッド
Ｂ、Ｂ’、Ｃ  敷き布団
１０  ベッドパッド本体
１２、１４、１１２、１１４、２１２、２１４  側地
１６、１１６、２１６  ヘム
２０、１２０、２２０、２２０ａ、２２０ｂ、２２０ｃ  中材
３０、１３０、２３０、２３０ａ、２３０ｂ  シート状部材
【図１】
0003108588.tif 000003
【図２】
0003108588.tif 000004
【図３】
0003108588.tif 000005
【図４】
0003108588.tif 000006
【図５】
0003108588.tif 000007
【図６】
0003108588.tif 000008
【図７】
0003108588.tif 000009
【図８】
0003108588.tif 000010
【図９】
0003108588.tif 000011
【図１０】
0003108588.tif 000012